(57)【要約】 【課題】  被着物に貼り付けた状態で見た目がよく、かつ被着物周りの他の物には貼り付かないラベルを作製可能なラベル作製シートを提供する。【解決手段】  粘着剤層５を片面に有する粘着シート７と、粘着剤層５に重ねられた剥離シート１０とを備えてなるラベル作製シート１である。粘着シート７には、その一部領域を切り離してラベル１５として使用するためのループ状のラベル切り離し用のスリット１３が形成され、剥離シート１０には、スリット１３と重なるように同形の第１ミシン目１９が形成され、この第１ミシン目１９によって囲まれた領域には、この領域を複数に分割するための第２ミシン目２１が設けられていることを特徴とする。【選択図】  図１
2005338188.tif 000002
【特許請求の範囲】
【請求項１】
粘着剤層を片面に有する粘着シートと、前記粘着剤層に重ねられた剥離シートを備えてなるラベル作製シートであって、
前記粘着シートには、その一部領域を切り離してラベルとして使用するためのループ状のラベル切り離し用のスリットが形成され、
前記剥離シートには、前記スリットと重なるように同形のミシン目が形成され、このミシン目によって囲まれた領域には、この領域を複数に分割するためのミシン目又はスリットが設けられていることを特徴とするラベル作製シート。
【請求項２】
粘着剤層を片面に有する粘着シートと、前記粘着剤層に重ねられた剥離シートを備えてなるラベル作製シートであって、
前記粘着シートには、その一部領域を切り離してラベルとして使用するためのループ状のラベル切り離し用の第１ミシン目が形成され、
前記剥離シートには、前記第１ミシン目と重なるように同形のスリット又は第２ミシン目が形成され、前記スリット又は第２ミシン目によって囲まれた領域には、この領域を複数に分割するための第３ミシン目又はスリットが設けられていることを特徴とするラベル作製シート。
【発明の詳細な説明】
【技術分野】
【０００１】
本発明は、ラベル作製シートに関する。
【背景技術】
【０００２】
室内の壁には、例えば、蛍光灯やエアコンのオンオフ等を操作するための小型の操作ボックスが取り付けられていることが多い。
ところで、省エネ等の推進のために、これらの操作ボックス１００に図５に示すように「退出時消灯と記録」や「温度設定は２８℃」といったラベル１０３を貼り付けて、使用者に注意を呼びかけることが多い。この場合に、ラベル１０３を大きくして目立たせる必要があるが、操作ボックス１００自体がコンパクトあり、スイッチ１００Ａや表示パネル以外の枠部分１００Ｂの面積が小さくされているため、ラベル１０３の全面を枠部分１００Ｂに貼り付けることは困難である（ラベルの構造については特許文献１参照）。
【特許文献１】特開平９−４８１８８号公報
【発明の開示】
【発明が解決しようとする課題】
【０００３】
このため、図５（Ａ）に示すように、裏面の剥離紙を全部剥がしたラベル１０３の端部のみを操作ボックス１００に貼り付ける場合が多いが、ラベル１０３のうち操作ボックス１００からはみ出した部分は、操作ボックス１００周りの壁等に貼り付いて、後でラベル１０３を剥がす際に剥がれにくい等の不都合を生じる。  そうかといって、図５（Ｂ）に示すように、ラベル１０３の剥離シート１０３Ａを途中まで剥離した状態で折り曲げて、粘着剤層１０３Ｂの端部が露出した状態で貼り付けると、剥離シート１０３Ａが部分的に折り返されているため、見た目がよくないことがある。また、剥離シート１０３Ａの折り返し部分に手が触れなどして、剥離シート１０３Ａがさらに剥がれ、壁等の貼り付けたくない部分にくっつくおそれがある。
【０００４】
本発明は上記のような事情に基づいて完成されたものであって、被着物に貼り付けた状態で見た目がよく、かつ被着物周りの他のものには貼り付かないラベルを作製可能なラベル作製シートを提供することを目的とする。
【課題を解決するための手段】
【０００５】
上記の目的を達成するための手段として、請求項１の発明は、粘着剤層を片面に有する粘着シートと、前記粘着剤層に重ねられた剥離シートを備えてなるラベル作製シートであって、前記粘着シートには、その一部領域を切り離してラベルとして使用するためのループ状のラベル切り離し用のスリットが形成され、前記剥離シートには、前記スリットと重なるように同形のミシン目が形成され、このミシン目によって囲まれた領域には、この領域を複数に分割するためのミシン目又はスリットが設けられていることを特徴とするラベル作製シートである。
【０００６】
請求項２の発明は、粘着剤層を片面に有する粘着シートと、前記粘着剤層に重ねられた剥離シートを備えてなるラベル作製シートであって、前記粘着シートには、その一部領域を切り離してラベルとして使用するためのループ状のラベル切り離し用の第１ミシン目が形成され、前記剥離シートには、前記第１ミシン目と重なるように同形のスリット又は第２ミシン目が形成され、前記スリット又は第２ミシン目によって囲まれた領域には、この領域を複数に分割するための第３ミシン目又はスリットが設けられていることを特徴とするラベル作製シートである。
【発明の効果】
【０００７】
＜請求項１の発明＞
本請求項のラベル作製シートによれば、剥離シートには、粘着シートのスリットと重なるように同形のミシン目が形成されており、このミシン目を切断すると剥離シート付きのラベルが分離される。なお、このラベルに付いた剥離シートは、ミシン目又はスリットにより複数の断片に分割可能とされている。
次に、このラベルから、被着部（例えば操作ボックスの枠部分）の面積に応じて、剥離シートの断片を剥がし取ることにより部分的に粘着剤層を露出させて被着部に貼り付ける。
このラベルは剥離シートが折り曲げられていないから見た目がよい。しかも、このラベルは、被着部の面積に応じて部分的に粘着剤層が露出して、この部分で被着物に貼り付けられ、他の部分には粘着剤層が露出していないから、被着物周りの他の物（壁等）に貼り付くおそれがない。
【０００８】
＜請求項２の発明＞
本請求項の発明の構成によれば、剥離シートに、粘着シートの第１ミシン目と重なるように同形のスリットが設けられている場合には、粘着シートの第１ミシン目を切断することによって、剥離シートが付いたラベルが分離される。また、剥離シートに、粘着シートの第１ミシン目と重なるように同形の第２ミシン目が設けられている場合には、第１ミシン目及び第２ミシン目を共に切断することによって、剥離シートが付いたラベルが分離される。これらのラベルは、被着部の面積に応じて、剥離シートの断片を剥がし取ることにより部分的に粘着剤層を露出させて被着部に貼り付けられ、請求項１の発明と同様の作用効果を奏する。
【発明を実施するための最良の形態】
【０００９】
以下、本発明の一実施形態を図１〜図４を参照しつつ説明する。
本実施形態のラベル作製シート１は、図１に示されるように、例えば紙製の基材シート３の片面に粘着剤層５を備えた粘着シート７と、粘着剤層５に重ねられた剥離シート１０とを備えてなる。粘着シート７の粘着剤層５と反対面は、文字等の印刷面７Ａとされている。また、剥離シート１０の粘着剤層５に重ねられた面は剥離処理されている。
粘着シート７には、図２に示すように、略矩形ループ状のラベル切り離し用のスリット１３が複数設けられている。スリット１３によって、複数のラベル１５が、それらの周辺領域と切り離し可能に形成されている。
【００１０】
剥離シート１０には、粘着シート７のスリット１３と重なるように同形の、第１ミシン目１９が形成されている。第１ミシン目１９は、ダイカットによる間欠的な切れ目からなる。
さらに、剥離シート１０には、第１ミシン目１９によって囲まれた分割領域１０Ａを、複数の断片１０Ｂに分割するための第２ミシン目２１が設けられている。第２ミシン目２１も、ダイカットによる間欠的な切れ目からなるものであり、第１ミシン目１９によって囲まれた分割領域１０Ａを縦方向又は横方向に横断するように、各分割領域１０Ａ毎に複数形成されている。また、各第２ミシン目２１は、その両端部で第１ミシン目１９と連結されている。
第２ミシン目２１によって、各分割領域１０Ａは、複数の矩形状の断片１０Ｂに分割されるようになっている。
【００１１】
次に本実施形態のラベル作製シート１の使用方法について説明する。
まず、ラベル作製シート１の印刷面７Ａにプリンタ等により、「退出時消灯と記録」や「エアコン設定温度  夏場  ２５℃  冬場２３℃」等の所定内容を印刷する（図２参照）。
続いて、第１ミシン目１９を切断して、剥離シート１０付きのラベル１５を分離する（図４（Ａ）参照）。
【００１２】
次に、操作ボックス２３のスイッチ周辺の枠部分の大きさ応じて、ラベル１５から剥離シート１０の断片１０Ｂを剥がし取り、粘着剤層５を部分的に露出させ、このラベル１５を操作ボックス２３等に貼り付ける（図４（Ｂ）、図４（Ｃ）参照）。
【００１３】
このラベル１５は剥離シート１０が折り曲げられていないから見た目がよい。しかも、このラベル１５は、操作ボックス２３の被着部の面積に応じて部分的に粘着剤層５が露出して、この部分が被着物に貼り付けられ、その他の部分は、剥離シート１０が残存しているから、操作ボックス２３周りの物（壁等）に貼り付くおそれがない。
また、ラベル１５のスリット１３と第１ミシン目１９とが重なっているから、表側からラベル１５裏面の剥離シート１０が見えず、見た目がすっきりする。
【００１４】
＜他の実施形態＞
本発明は、実施形態に限定されるものではなく、例えば、以下に説明するような実施形態も本発明の技術的範囲に含まれ、さらに、下記以外にも要旨を逸脱しない範囲内で種々変更して実施することができる。
（１）上記実施形態では、第２ミシン目２１により、第１ミシン目１９によって囲まれた領域を複数に分割可能としたが、第２ミシン目２１の代わりに連続的な切れ目からなるスリットとしてもよい。
（２）上記実施形態では、粘着シート７には、ループ状のスリット１３が形成されており、剥離シート１０には、粘着シート７のスリット１３と重なる位置に、第１ミシン目１９が形成されていることとしたが、粘着シート７に、ループ状のミシン目（請求項２の第１ミシン目に相当）を形成し、剥離シート１０には、粘着シート７のミシン目と重なように同形のスリット又はミシン目（請求項２の第２ミシン目に相当）が形成されていてもよい。
これらの場合には、剥離シートのスリット又は第２ミシン目によって囲まれた領域には、この領域を複数に分割するための第３ミシン目又はスリットが設けられる。
（３）なお、本発明において、ミシン目は、特に限定されず、マイクロミシン目、通常のミシン目のいずれであってもよい。
（４）また、粘着シート７、剥離シート１０の材質は特に限定されない。
【図面の簡単な説明】
【００１５】
【図１】本発明の一実施形態にかかるラベル作製シートの断面図（図２のＡ−Ａ断面図）
【図２】同じくラベル作製シートの表面図
【図３】同じくラベル作製シートの裏面図
【図４】ラベル作製シートの使用方法を示す断面図
【図５】従来例のラベル（（Ａ）；正面図、（Ｂ）；断面図）
【符号の説明】
【００１６】
１…ラベル作製シート
３…基材シート
５…粘着剤層
７…粘着シート
７Ａ…印刷面
１０…剥離シート
１０Ａ…分割領域
１０Ｂ…断片
１３…スリット
１５…ラベル
１９…ミシン目
２１…ミシン目
【図１】
2005338188.tif 000003
【図２】
2005338188.tif 000004
【図３】
2005338188.tif 000005
【図４】
2005338188.tif 000006
【図５】
2005338188.tif 000007